(57)【要約】【課題】  雨水の計量を正確に行えると共に、豪雨等による災害に対する注意の喚起を正確に行え、気候変動のデータを正しく捉えられる転倒ます形雨量計を提供する。【解決手段】  濾水器１２は、受水器で受水した雨水を受け、受けた雨水を下端に形成された雨水滴下部１２ａから滴下する。転倒ます１３は、一対のます１３ａ，１３ｂが揺動中心Ｏを中心に対称に設けられて構成されている。一対のます１３ａ，１３ｂには、濾水器１２から滴下する雨水が所定量交互に溜められる。転倒ます１３の揺動中心Ｏは、転倒ます１３の底面より上方の側面に設けられている。揺動中心Ｏには、軸１８が転倒ます１３の側面を貫通して設けられている。軸１８は、基台１７に固定されたコの字状をした支持台１９に両端が支持されている。おもり１４は、転倒ます１３の揺動中心Ｏよりも上方の濾水器１２側における転倒ます１３の側方に、設けられている。【選択図】  図２
2018025557.tif 000002
【特許請求の範囲】
【請求項１】
受水器で受水した雨水を受ける濾水器と、前記濾水器から滴下する雨水を所定量交互に溜める一対のますが揺動中心を中心に対称に設けられた転倒ますと、前記転倒ますの揺動中心を揺動自在に支持する支持部と、前記転倒ますの揺動を付勢するおもりとを備える転倒ます形雨量計において、
前記転倒ますの揺動中心は前記転倒ますの底面より上方の側面に設けられ、
前記おもりは前記転倒ますの揺動中心よりも上方の前記濾水器側に設けられる
ことを特徴とする転倒ます形雨量計。
【請求項２】
前記転倒ますは、非転倒時において、前記一対のます間を仕切る隔壁の上端が前記濾水器の雨水滴下部の直下に位置するように設けられることを特徴とする請求項１に記載の転倒ます形雨量計。
【請求項３】
前記おもりは前記転倒ますの揺動中心よりも上方における前記転倒ますの側方に設けられることを特徴とする請求項１または請求項２に記載の転倒ます形雨量計。
【発明の詳細な説明】
【技術分野】
【０００１】
本発明は、濾水器から滴下する雨水を転倒ますに設けられた一対のますに所定量交互に溜めて雨量を計量する転倒ます形雨量計に関するものである。
【背景技術】
【０００２】
従来この種の転倒ます形雨量計としては、例えば、特許文献１に開示された雨雪量計がある。この種の転倒ます形雨量計は非特許文献１に規格が定められている。
【０００３】
転倒ます形雨量計は、一般的に、雨水を受けると共に計量部を保護する受水器と、受水器から滴下した雨水量を測定する計量部とから構成される。計量部は、図１に示すように、濾水器１、転倒ます２、つり合いおもり３、排水ます４などを主要構成部品としている。濾水器１は図示しない受水器で受水した雨水を受け、下方の雨水滴下部１ａから転倒ます２の一方のます２ａ，２ｂへ、受けた雨水を滴下させる。転倒ます２は、一方のます２ａ，２ｂに受ける雨水の量が所定量に達すると、転倒ます２の下方に設けられた軸受５を中心に揺動する。この際、軸受５の下方に設けられたつり合いおもり３の重みにより、転倒ます２の揺動が付勢され、転倒ます２は速やかに揺動して他方のます２ｂ，２ａを濾水器１の下方に移動させる。また、この揺動によって傾いた一方のます２ａ，２ｂは、溜めた所定量の雨水を排水筒４に流す。転倒ます形雨量計は、転倒ます２の揺動する回数を図示しないリードスイッチによってカウントすることで、排水ます４に流した、つまり、受水器で受けた雨水の量を計量する。
【先行技術文献】
【特許文献】
【０００４】
【特許文献１】特開２０１１−５３１４７号公報
【非特許文献】
【０００５】
【非特許文献１】日本工業規格ＪＩＳ Ｂ ７３０９「転倒ます形雨量計」
【発明の概要】
【発明が解決しようとする課題】
【０００６】
近年、局所的大雨や集中豪雨等による災害や被害が深刻になっており、豪雨等による災害に対して注意を促すことや、気候変動のデータを正しく捉えることの重要性が高まっている。しかしながら、上記従来の転倒ます形雨量計では、１時間に８０ｍｍを超える降雨があった場合、所定量の雨水を溜めて定量となった一方のます２ａ，２ｂから空の他方のます２ｂ，２ａへ雨水の貯水先を切り替えるとき、滴下する雨水が空のます２ｂ，２ａに入らず、定量になったます２ａ，２ｂに入り続けてしまう。このため、上記従来の転倒ます形雨量計では、雨量を正確に測定することが出来なかった。最近の気象庁のデータでは、ゲリラ豪雨の増加により、１時間に１５０ｍｍに達する降雨の発生する地域が増加している。したがって、上記従来の転倒ます形雨量計によっては、豪雨等による災害に対する注意の喚起を正確に行い、気候変動のデータを正しく捉えることは難しい。
【課題を解決するための手段】
【０００７】
本発明はこのような課題を解決するためになされたもので、
受水器で受水した雨水を受ける濾水器と、濾水器から滴下する雨水を所定量交互に溜める一対のますが揺動中心を中心に対称に設けられた転倒ますと、転倒ますの揺動中心を揺動自在に支持する支持部と、転倒ますの揺動を付勢するおもりとを備える転倒ます形雨量計において、
転倒ますの揺動中心が転倒ますの底面より上方の側面に設けられ、
おもりが転倒ますの揺動中心よりも上方の濾水器側に設けられる
ことを特徴とする。
【０００８】
従来の転倒ます形雨量計においては、おもりが揺動中心の下方に位置するため、おもりに加わる重力の揺動中心に関する力のモーメントは、転倒ますの傾きを減じて転倒ますを水平状態にする向きに働く。このため、雨水をますに受ける際における転倒ますの傾きを大きくし、ますの重みによる重力の揺動中心に関する腕の長さを長くすることで、ますの重みによる重力の揺動中心に関する力のモーメントを大きくし、転倒ますの傾きを保っていた。しかし、本構成によれば、おもりが転倒ますの揺動中心よりも上方に設けられることで、おもりに加わる重力の揺動中心に関する力のモーメントは、転倒ますの傾きを増加させる向きに働く。このため、雨水をますに受ける際における転倒ますの傾きを最小限に設定することが出来る。
【０００９】
また、転倒ますの揺動中心が、従来の転倒ますの下方から転倒ますの底面より上方の側面に設けられことで、揺動中心から、一対のます間を仕切る隔壁の上端までの距離、つまり揺動半径は、従来よりも短くなる。このため、濾水器から滴下する雨水の貯水先を、定量になった一方のますから空の他方のますへ切り替える際に、揺動中心を中心に隔壁の上端が描く円弧の長さは、転倒ますの傾きを上記のように小さく出来ることと相まって、従来よりも短くなる。すなわち、ますの切替の際に隔壁の上端が移動する距離は従来よりも短くなり、ますの切替は従来よりも短時間に行える。
【００１０】
この結果、転倒ますは、濾水器から滴下する雨水の貯水先となるますの切り替えを、従来よりも迅速に行えるようになる。よって、１時間に８０ｍｍを超えるような降雨があっても、従来のように、濾水器からの雨水を定量になったますに溜め続けることなく、確実に空のますへ溜めることが出来るようになり、雨水の計量を正確に行える。したがって、豪雨等による災害に対する注意の正確な喚起や、気候変動のデータを正しく捉えることが出来るようになる。
【００１１】
また、本発明は、転倒ますが、非転倒時において、一対のます間を仕切る隔壁の上端が濾水器の雨水滴下部の直下に位置するように設けられることを特徴とする。
【００１２】
本構成によれば、濾水器から滴下する雨水がますに到達するまでの距離が短くなり、濾水器から滴下する雨水は何れか一方のますにより短時間に溜められる。このため、濾水器から滴下する雨水の貯水先となるますの切り替えは、より早くかつ確実に行えるようになる。
【００１３】
また、本発明は、おもりが転倒ますの揺動中心よりも上方における転倒ますの側方に設けられることを特徴とする。
【００１４】
本構成によれば、おもりを転倒ますの側方に取り付けることが出来て、おもりの設置箇所を確保することが出来る。また、おもりの設置高さが抑制され、転倒ますと濾水器との間の距離を短く設定できる。また、従来のように転倒ますの下方におもりの設置空間を確保する必要も無い。このため、計量部の高さを抑えることが出来、転倒ます形雨量計の高さを低くして転倒ます形雨量計を小型化することが出来る。
【発明の効果】
【００１５】
本発明によれば、雨水の計量を正確に行えると共に、豪雨等による災害に対する注意の喚起を正確に行え、気候変動のデータを正しく捉えられる転倒ます形雨量計を提供することが出来る。
【図面の簡単な説明】
【００１６】
【図１】従来の転倒ます形雨量計における計量部を示す側面図である。
【図２】（ａ）は、本発明の一実施の形態による転倒ます形雨量計における計量部の平面図、（ｂ）は正面図である。
【図３】（ａ）は一実施の形態による転倒ます形雨量計における計量部の側面図、（ｂ）は一部破断断面図である。
【図４】（ａ）は、一実施の形態の変形例による転倒ます形雨量計における計量部の平面図、（ｂ）は正面図である。
【図５】（ａ）は一実施の形態の変形例による転倒ます形雨量計における計量部の側面図、（ｂ）は一部破断断面図である。
【図６】（ａ）は一実施の形態による転倒ます形雨量計と市販の転倒ます形雨量計との計測結果を比較して示すグラフ、（ｂ）は（ａ）に示すグラフにおける各計測値の誤差を比較して示すグラフである。
【図７】（ａ）は市販の転倒ます形雨量計による計測値を理論値と比較して示すグラフ、（ｂ）は市販の転倒ます形雨量計による計測値の誤差率を示すグラフである。
【発明を実施するための形態】
【００１７】
次に、本発明による転倒ます形雨量計を実施するための形態について説明する。
【００１８】
図２（ａ）は、本発明の一実施の形態による転倒ます形雨量計の計量部１１の平面図、図２（ｂ）は正面図、図３（ａ）は側面図である。また、図３（ｂ）は図３（ａ）におけるIIIb−IIIb線破断矢視図である。
【００１９】
図示する計量部１１は、その性能を把握するために構成した実験用の動作モデルである。計量部１１は、濾水器１２、転倒ます１３、および、おもり１４を主要構成部品としている。
【００２０】
濾水器１２は漏斗状をしており、取付具１５によって基板１６に取り付けられている。基板１６は長方形の板状をしており、円盤状をした基台１７に立設されている。基台１７の底面には３個の脚２１ａ，２１ｂ，２１ｃが設けられている。濾水器１２は、図示しない受水器で受水した雨水を受け、受けた雨水を下端に形成された雨水滴下部１２ａから滴下する。転倒ます１３は、一対のます１３ａ，１３ｂが揺動中心Ｏを中心に対称に設けられて構成されている。一対のます１３ａ，１３ｂには、濾水器１２から滴下する雨水が所定量交互に溜められる。本実施形態では１５．７ｃｃを所定量としており、いずれか一方のます１３ａ，１３ｂに１５．７ｃｃの雨水が溜まって定量になると、転倒ます１３は揺動中心Ｏを中心に揺動する。すなわち、本実施形態の転倒ます形雨量計は、受水器の受水口の口径が２００ｍｍに設定されており、０．５ｍｍの降雨があると、いずれか一方のます１３ａ，１３ｂに１５．７ｃｃの雨水が溜まる。
【００２１】
揺動中心Ｏには、軸１８が転倒ます１３の側面を貫通して設けられている。軸１８は、基台１７に固定されたコの字状をした支持台１９に両端が支持されている。本実施形態では、転倒ます１３の揺動中心Ｏは、転倒ます１３の底面より上方の側面に設けられている。軸１８および支持台１９は、転倒ます１３の揺動中心Ｏを揺動自在に支持する支持部を構成する。転倒ます１３の揺動はおもり１４によって付勢される。本実施形態では、おもり１４は、直方体状をしており、転倒ます１３の揺動中心Ｏよりも上方の濾水器１２側における転倒ます１３の側方に、設けられている。転倒ます１３の揺動する回数は、図示しないリードスイッチの発するパルス数によってカウントされる。
【００２２】
各ます１３ａ，１３ｂの下方における基台１７には、ボルトおよびナットによって構成される一対のストッパ２０ａ，２０ｂが設けられている。転倒ます１３の揺動は、この一対のストッパ２０ａ，２０ｂで各ます１３ａ，１３ｂの下面が受けられて、停止する。また、転倒ます１３の中央には、一対のます１３ａ，１３ｂ間を仕切る隔壁１３ｃが、図３（ｂ）に示すように形成されている。転倒ます１３は、非転倒時の水平状態において、隔壁１３ｃの上端が、濾水器１２の雨水滴下部１２ａの直下に位置するように設けられる。
【００２３】
上記のように構成される計量部１１は、受水器を構成する漏斗が上方に設けられて、円筒状をした胴体に収納される。基台１７はこの胴体の底面を構成する。転倒ます１３の両端部下方における基台１７には、一対の切り欠き１７ａ，１７ｂが形成されている。本実施形態の動作モデルでは、一対のます１３ａ，１３ｂに溜まった雨水は、この一対の切り欠き１７ａ，１７ｂを介して胴体の外部へ排水される。製品モデルでは、この一対の切り欠き１７ａ，１７ｂの形成部に排水筒４（図１参照）が設けられることになる
【００２４】
このような構成において、濾水器１２は受水器で受水した雨水を受け、雨水滴下部１２ａから転倒ます１３の一方のます１３ａ，１３ｂへ、受けた雨水を滴下させる。転倒ます１３は、一方のます１３ａ，１３ｂに受ける雨水の量が所定量に達すると、重力Ｗ１によって軸１８を中心に揺動する。この際、おもり１４の重みにより、転倒ます１３の揺動が付勢され、転倒ます１３は速やかに揺動して他方のます１３ｂ，１３ａを雨水滴下部１２ａの下方に移動させる。また、この揺動によって傾いた一方のます１３ａ，１３ｂは、溜めた所定量の雨水を切り欠き１７ａ，１７ｂに流す。転倒ます形雨量計は、以後、同様な動作を繰り返し、転倒ます１３の揺動する回数をリードスイッチによってカウントすることで、受水器で受けた雨水の量を計量する。
【００２５】
このような本実施形態の転倒ます形雨量計によれば、おもり１４が転倒ます１３の揺動中心Ｏよりも上方に設けられることで、おもり１４に加わる重力Ｕ１の揺動中心Ｏに関する力のモーメントｍ１は、図３（ｂ）に示すように、重力Ｕ１の揺動中心Ｏに関する腕の長さをｒ１とすると、腕の長さｒ１と重力Ｕ１との積ｒ１・Ｕ１で表されるが、転倒ます１３の傾きを増加させる向きに働く。ます１３ａ，１３ｂの重みによる重力Ｗ１の揺動中心Ｏに関する力のモーメントＭ１は、重力Ｗ１の揺動中心Ｏに関する腕の長さをＲ１とすると、腕の長さＲ１と重力Ｗ１との積Ｒ１・Ｗ１で表される。したがって、転倒ます１３は、おもり１４に加わる重力ｗ１のモーメントｍ１と、ます１３ａ，１３ｂの重みによる重力Ｗ１のモーメントＭ１との和のモーメント（＝ｍ１＋Ｍ１）が作用して傾き、ストッパ２０ａ，２０ｂがこれを支える。
【００２６】
一方、従来のおもり３に加わる重力Ｕ２の揺動中心Ｏに関する力のモーメントｍ２は、図１に示すように、重力Ｕ２の揺動中心Ｏに関する腕の長さをｒ２とすると、腕の長さｒ２と重力Ｕ２との積ｒ２・Ｕ２で表されるが、おもり３が揺動中心Ｏの下方に位置するため、転倒ます２の傾きを減じて転倒ます２を水平状態にする向きに働く。また、ます２ｂの重みによる重力Ｗ２の揺動中心Ｏに関する力のモーメントＭ２は、重力Ｗ２の揺動中心Ｏに関する腕の長さをＲ２とすると、腕の長さＲ２と重力Ｗ２との積Ｒ２・Ｗ２で表される。したがって、転倒ます２は、おもり３に加わる重力Ｕ２のモーメントｍ２と、ます２ａ，２ｂの重みによる重力Ｗ２のモーメントＭ２との和のモーメント（＝ｍ２＋Ｍ２）が作用して、水平状態になろうとする。このため、従来の転倒ます形雨量計においては、雨水をます２ａ，２ｂに受ける際における転倒ます２の傾きを大きくし、傾いたます２ａの重みによる重力Ｗ２の揺動中心Ｏに関する腕の長さＲ３を長くすることで、傾いたます２ａの重みによる重力Ｗ２の揺動中心Ｏに関する力のモーメントＭ３（＝Ｒ３・Ｗ２）を大きくし、転倒ます２の傾きを保っていた。
【００２７】
しかし、本実施形態の転倒ます形雨量計では、上記のように、おもり１４に加わる重力Ｕ１の揺動中心Ｏに関する力のモーメントｍ１は、転倒ます１３の傾きを増加させる向きに働くため、雨水をます１３ａ，１３ｂに受ける際における転倒ます１３の傾きを最小限に設定することが出来る。
【００２８】
また、転倒ます１３の揺動中心Ｏが、従来の転倒ます２の下方から転倒ます１３の底面より上方の側面に設けられることで、揺動中心Ｏから、隔壁１３ｃの上端までの距離、つまり揺動半径は、従来よりも短くなる。このため、濾水器１２から滴下する雨水の貯水先を、定量になった一方のます１３ａ，１３ｂから空の他方のます１３ｂ，１３ａへ切り替える際に、揺動中心Ｏを中心に隔壁１３ｃの上端が描く円弧の長さは、転倒ます１３の傾きを上記のように小さく出来ることと相まって、従来よりも極めて短くなる。なお、従来の計量部における濾水器１の雨水滴下部１ａの中心から転倒ます２の頂上までの水平距離Ｌ１（図１参照）は２４ｍｍであったが、本実施形態の計量部１１における濾水器１２の雨水滴下部１２ａの中心から転倒ます１３の頂上までの水平距離Ｌ２（図２（ｂ）参照）は３ｍｍとなり、１／８になった。また、従来の計量部におけるおもり３の重心から転倒ます２の頂上までの距離Ｌ３（図１参照）は約２０ｍｍであったが、本実施形態の計量部１１におけるおもり１４の重心から転倒ます１３の頂上までの距離Ｌ４（図２（ｂ）参照）は１４ｍｍとなり、７／１０になった。すなわち、ます１３ａ，１３ｂの切替の際に隔壁１３ｃの上端が移動する距離は従来よりも極めて短くなり、ます１３ａ，１３ｂの切替は従来よりも短時間に行える。
【００２９】
この結果、転倒ます１３は、濾水器１２から滴下する雨水の貯水先となるます１３ａ，１３ｂの切り替えを、従来よりも迅速に行えるようになる。よって、１時間に８０ｍｍを超えるような降雨があっても、従来のように、濾水器１からの雨水を定量になったます２ａ，２ｂに溜め続けることなく、確実に空のます１３ａ，１３ｂへ溜めることが出来るようになり、雨水の計量を正確に行える。したがって、豪雨等による災害に対する注意の正確な喚起や、気候変動のデータを正しく捉えることが出来るようになる。
【００３０】
また、本実施形態の転倒ます形雨量計では、転倒ます１３が、非転倒時の水平状態において、隔壁１３ｃの上端が、濾水器１２の雨水滴下部１２ａの直下に位置するように設けられる。したがって、濾水器１２から滴下する雨水がます１３ａ，１３ｂに到達するまでの距離が短くなり、濾水器１２から滴下する雨水は何れか一方のます１３ａ，１３ｂにより短時間に溜められる。このため、濾水器１２から滴下する雨水の貯水先となるます１３ａ，１３ｂの切り替えは、より早くかつ確実に行えるようになる。
【００３１】
また、本実施形態の転倒ます形雨量計では、おもり１４が、転倒ます１３の揺動中心Ｏよりも上方の濾水器１２側における転倒ます１３の側方に、設けられている。したがって、おもり１４を転倒ます１３の側方に取り付けることが出来て、おもり１４の設置箇所を確保することが出来る。また、おもり１４の設置高さが抑制され、転倒ます１３と濾水器１２との間の距離を短く設定できる。また、従来のように転倒ます１３の下方におもり１４の設置空間を確保する必要も無い。このため、計量部１１の高さを抑えることが出来、転倒ます形雨量計の高さを低くして、転倒ます形雨量計を小型化することが出来る。
【００３２】
なお、上記の実施形態では、転倒ます１３における各ます１３ａ，１３ｂの底面は、図３（ｂ）に示すように、中央の隔壁１３ｃ側において低く形成されて、斜めになっていた。しかし、図４および図５に示すように、各ます２３ａ，２３ｂの底面を直線状に平らに形成した転倒ます２３を用いるようにしてもよい。図４（ａ）は、一実施の形態の変形例による転倒ます形雨量計における計量部３１の平面図、図４（ｂ）は正面図、図５（ａ）は側面図である。また、図５（ｂ）は図５（ａ）におけるVb−Vb線破断矢視図である。なお、図４および図５において図２および図３と同一または相当する部分には同一符号を付してその説明は省略する。
【００３３】
このような転倒ます２３を用いて構成される計量部３１は、ます２３ａ，２３ｂに溜まった雨水を排水するとき、各ます２３ａ，２３ｂの底面の傾きを転倒ます１３より大きくできる。このため、ます２３ａ，２３ｂに溜まった雨水の排水を迅速に行え、ます２３ａ，２３ｂの切り替えを転倒ます１３より効率的に行える。
【００３４】
図６（ａ）は、上記の実施形態による新型転倒ます形雨量計と、図１に示される構造をした市販されている転倒ます形雨量計とについての、雨量に応じた計測値の測定結果を示すグラフＡである。同グラフＡの横軸は１時間当たりの雨量を基準値[ｍｍ]として表し、縦軸は測定値[ｍｍ]である。
【００３５】
市販されている転倒ます形雨量計には、株式会社大田計器製作所製の型式ＯＷ−３４−ＢＰの雨量計を用いた。この雨量計は、上記の実施形態による転倒ます形雨量計と同じ仕様で、受水器の口径が２００ｍｍ、降水量０．５ｍｍの水の重さで転倒ます２が倒れる仕様をしている。測定における降雨は、各転倒ます形雨量計の濾水器１，１２にポンプで直接注水することで擬似的に行い、グラフＡの横軸に示される基準値[ｍｍ]の、１時間当たり５０〜２００ｍｍ相当の雨量を再現した。このポンプには、株式会社イワキ製の型式ＥＨＮ−Ｂ２１ＶＣ１Ｒの電磁定量ポンプを使用した。雨量の測定は、濾水器１，１２への注水によって転倒ます２，１３が左右で合計６回転倒するまでの時間を測定することで行い、測定時間から１時間当たりの雨量に換算することで、計測値[ｍｍ]を算出した。
【００３６】
同グラフＡにおける計測値が白抜きの三角形のプロットで示される特性線４１ａは上記の実施形態による新型転倒ます形雨量計の計測結果を、計測値が黒塗りの円のプロットで示される特性線４２ａは市販の転倒ます形雨量計の計測結果を表す。
【００３７】
図６（ｂ）は、同図（ａ）に示す各計測値の基準値に対する誤差を百分率％で示すグラフＢである。同グラフＢの横軸はグラフＡと同じ基準値[ｍｍ]、縦軸は誤差[％]である。誤差の算出式は、｛（計測値−基準値）／基準値｝×１００で示される。同グラフＢにおいても、白抜きの三角形のプロットで示される特性線４１ｂは上記の実施形態による新型転倒ます形雨量計の誤差特性を、黒塗りの円のプロットで示される特性線４２ｂは市販の転倒ます形雨量計の誤差特性を表す。
【００３８】
同図（ｂ）に示すグラフＢから理解されるように、市販の転倒ます形雨量計の誤差は、１時間当たりの雨量が大きくなるのに連れて、上記の実施形態による新型転倒ます形雨量計に比べて大きくなる。
【００３９】
図７（ａ）に示すグラフＣは、市販の転倒ます形雨量計の計測値を理論値（＝基準値）と比較して示すものである。同グラフＣの横軸および縦軸は図６（ａ）に示すグラフＡと同じである。また、同グラフＣにおける計測値が黒塗りの円のプロットで示される特性線４２ｃは市販の転倒ます形雨量計の計測結果を表し、理論値は黒塗りの四角形のプロットで特性線４３として表される。また、図７（ｂ）に示すグラフＤは、これら計測値と理論値との誤差率を示す。同グラフＤの横軸はグラフＡと同じ基準値[ｍｍ]、縦軸は誤差率[％]である。誤差率の算出式は、｛（理論値−計測値）／理論値｝×１００で示される。また、同グラフＤにおける黒塗りの円のプロットは誤差率を示し、特性線４４はこれら誤差率の平均値を示す。
【００４０】
このグラフＤの特性線４４は指数関数的な曲線になり、市販の転倒ます形雨量計は１時間当たりの雨量が大きくなるのにつれて誤差率が指数関数的に増加することが特性線４４から理解される。これは、市販の転倒ます形雨量計では、所定量の雨水を溜めて定量となった一方のます２ａ，２ｂから空の他方のます２ｂ，２ａへ雨水の貯水先を切り替えるとき、濾水器１から滴下する雨水が空のます２ｂ，２ａに入らず、定量になったます２ａ，２ｂに入り続けてしまうためと、考えられる。
【００４１】
これに対して、上記の実施形態による新型転倒ます形雨量計は、図６（ｂ）の特性線４１ｂに示されるように、１時間当たりの雨量が大きくなっても、誤差の増加が抑制されることが理解される。これは、上記の実施形態による新型転倒ます形雨量計では、上述のように、濾水器１２から滴下する雨水の貯水先となるます１３ａ，１３ｂの切り替えが、より早くかつ確実に行えるからであると、考えられる。この測定により、上記の実施形態による新型転倒ます形雨量計は、１時間に１５０ｍｍに達するようなゲリラ豪雨が発生しても、市販の転倒ます形雨量計に比べて雨水の計量を正確に行えることが確認された。
【産業上の利用可能性】
【００４２】
上記の実施形態では、受水器の口径が２００ｍｍで０．５ｍｍの雨量毎にパルス信号を発する構造の転倒ます形雨量計について、説明した。しかし、０．１ｍｍや１ｍｍ毎にパルス信号を発するタイプの転倒ます形雨量計についても、同様に本発明を適用することが出来、上記の実施形態と同様な作用効果が奏される。
【符号の説明】
【００４３】
１１，３１…計量部、１２…濾水器、１２ａ…雨水滴下部、１３，２３…転倒ます、１３ａ，１３ｂ，２３ａ，２３ｂ…ます、１３ｃ…隔壁、１４…おもり、１５…取付具、１６…基板、１７…基台、１７ａ，１７ｂ…切り欠き、１８…軸、１９…支持台、２０ａ，２０ｂ…ストッパ、２１ａ，２１ｂ，２１ｃ…脚、Ｏ…揺動中心
【図１】
2018025557.tif 000003
【図２】
2018025557.tif 000004
【図３】
2018025557.tif 000005
【図４】
2018025557.tif 000006
【図５】
2018025557.tif 000007
【図６】
2018025557.tif 000008
【図７】
2018025557.tif 000009